(57)【要約】  基地局は、送信信号をユーザ機器（ＵＥ）装置およびマシン型通信（ＭＴＣ）装置に送信する。送信信号は、ＵＥ装置のためのＵＥデータを伝達する複数のデータサブキャリアを含み、データサブキャリアの少なくとも一部は、ＵＥデータ層のＵＥデータの少なくとも一部を伝達し、ＭＴＣデータ層のＭＴＣ装置のためのＭＴＣデータを伝達する。送信信号はまた、ＵＥ装置およびＭＴＣ装置によるデータサブキャリアの受信に適用される地理的位置依存制御情報を伝達する複数の制御サブキャリアを含む。制御サブキャリアはまた、各装置に固有のデータ層制御情報を伝達する。
2019537323.tif 000002
【特許請求の範囲】
【請求項１】
ユーザ機器（ＵＥ）装置およびマシン型通信（ＭＴＣ）装置に送信信号を送信することを含み、
前記送信信号は、
前記ＵＥ装置のためのＵＥデータを伝達する複数のデータサブキャリアと、
前記ＵＥ装置および前記ＭＴＣ装置による前記複数のデータサブキャリアの受信に適用される地理的位置依存制御情報を伝達する複数の制御サブキャリアと、を含み、
前記複数のデータサブキャリアの少なくとも一部は、ＵＥデータ層の少なくともいくつかの前記ＵＥデータを伝達し、ＭＴＣデータ層の前記ＭＴＣ装置のためのＭＴＣデータを伝達する、方法。
【請求項２】
前記制御キャリアは、データ層制御情報をさらに伝達し、
前記データ層制御情報は、
前記ＵＥデータ層からの前記ＵＥデータの回復に適用されるＵＥデータ層制御情報と、
前記ＭＴＣデータ層からの前記ＭＴＣデータの回復に適用されるＭＴＣデータ層制御情報と、を含む、請求項１に記載の方法。
【請求項３】
前記データ層制御情報は、ＵＥフィールドの前記ＵＥデータ層制御情報およびＭＴＣフィールドの前記ＭＴＣデータ層制御情報として、前記ＵＥフィールドおよび前記ＭＴＣフィールドに配置される、請求項２に記載の方法。
【請求項４】
前記ＭＴＣデータ層制御情報は、前記ＭＴＣデータが前記ＵＥデータを伝達する前記複数のデータサブキャリアの一部にオーバーレイされることを示す階層化データ指標を含み、
前記ＭＴＣデータは、前記ＭＴＣ装置が既知の所定のフォーマットにあり、
前記所定のフォーマットは、変調符号化方式（ＭＣＳ）と、前記ＭＴＣデータのサイズと、前記複数のデータサブキャリアの一部にオーバーレイされた前記ＭＴＣデータの時間・周波数リソースと、を含む、請求項２に記載の方法。
【請求項５】
前記所定のフォーマットは、前記ＵＥデータおよび前記ＭＴＣデータの共通の空間リソースをさらに含む、請求項４に記載の方法。
【請求項６】
前記地理的位置依存制御情報は、多入力多出力（ＭＩＭＯ）パラメータを含む、請求項２に記載の方法。
【請求項７】
前記送信信号を前記送信することは、３ＧＰＰ（Ｔｈｅ  Ｔｈｉｒｄ  Ｇｅｎｅｒａｔｉｏｎ  Ｐａｒｔｎｅｒｓｈｉｐ  Ｐｒｏｊｅｃｔ）およびＬＴＥ（Ｌｏｎｇ  Ｔｅｒｍ  Ｅｖｏｌｕｔｉｏｎ）仕様の少なくとも１つの改訂に従って、前記送信信号を送信することを含み、
前記複数の制御サブキャリアは、前記地理的位置依存制御情報および前記データ層制御情報を伝達するために、ＰＤＣＣＨ（Ｐｈｙｓｉｃａｌ  Ｄｏｗｎｌｉｎｋ  Ｃｏｎｔｒｏｌ  Ｃｈａｎｎｅｌ）を備える、請求項３に記載の方法。
【請求項８】
前記ＰＤＣＣＨは、前記ＭＴＣデータが前記ＵＥデータを含む前記複数のサブキャリアのうちの少なくともいくつかに含まれるという指示子を含む下りリンク制御情報（ＤＣＩ）フィールドを含む、請求項７に記載の方法。
【請求項９】
前記データ層制御情報は、前記ＵＥデータ層のＵＥ変調次数および前記ＭＴＣデータ層のＭＴＣ変調次数を含む、請求項２に記載の方法。
【請求項１０】
第１符号化ビットを生成するために、第１符号化率により前記ＵＥデータの情報ビットを符号化することと、
第２符号化ビットを生成するために、第２符号化率により前記ＭＴＣデータの情報ビットを符号化することと、を含み、
前記第１符号化ビットおよび前記第２符号化ビットは、変調部により変調され、
前記データ層制御情報は、前記第１符号化率および前記第２符号化率を含む、請求項９に記載の方法。
【請求項１１】
ビット配列が変調されるときに複数の変調シンボルが生成されるように、前記第１符号化ビットおよび前記第２符号化ビットを前記ビット配列に配置することをさらに含み、
各前記変調シンボルは、最下位ビット（ＬＳＢ）のセットおよび最上位ビット（ＭＳＢ）のセットを有し、
前記第１符号化ビットは、前記ＬＳＢのセットおよび前記ＭＳＢのセットのうちの１つによって表され、
前記第２符号化ビットは、前記ＬＳＢのセットおよび前記ＭＳＢのセットのうちの他の１つによって表される、請求項１０に記載の方法。
【請求項１２】
前記ＵＥデータ層制御情報は、前記ＬＳＢおよび前記ＭＳＢのどちらが前記ＵＥデータを表しているかを識別し、
前記ＭＴＣデータ層制御情報は、前記ＬＳＢおよび前記ＭＳＢのどちらが前記ＭＴＣデータを表しているかを識別する、請求項２に記載の方法。
【請求項１３】
前記ＵＥデータ層制御情報は、前記ＵＥデータを伝達する時間・周波数リソースを識別し、
前記ＭＴＣデータ層制御情報は、前記ＭＴＣデータを伝達する時間・周波数リソースを識別する、請求項２に記載の方法。
【請求項１４】
ユーザ機器（ＵＥ）装置およびマシン型通信（ＭＴＣ）装置に送信信号を送信する送信部を含み、
前記送信信号は、
前記ＵＥ装置のためのＵＥデータを伝達する複数のデータサブキャリアと、
前記ＵＥ装置および前記ＭＴＣ装置による前記複数のデータサブキャリアの受信に適用される地理的位置依存制御情報を伝達する複数の制御サブキャリアと、を含み、
前記複数のデータサブキャリアの少なくとも一部は、ＵＥデータ層の少なくともいくつかの前記ＵＥデータを伝達し、ＭＴＣデータ層の前記ＭＴＣ装置のためのＭＴＣデータを伝達し、
前記複数の制御サブキャリアは、さらにデータ層制御情報を伝達し、
前記データ層制御情報は、
前記ＵＥデータ層からの前記ＵＥデータの回復に適用されるＵＥデータ層制御情報と、
前記ＭＴＣデータ層からの前記ＭＴＣデータの回復に適用されるＭＴＣデータ層制御情報と、を含む、基地局。
【請求項１５】
前記地理的位置依存制御情報は、多入力多出力（ＭＩＭＯ）パラメータを含む、請求項１４に記載の基地局。
【請求項１６】
前記送信部は、３ＧＰＰ（Ｔｈｅ  Ｔｈｉｒｄ  Ｇｅｎｅｒａｔｉｏｎ  Ｐａｒｔｎｅｒｓｈｉｐ  Ｐｒｏｊｅｃｔ）およびＬＴＥ（Ｌｏｎｇ  Ｔｅｒｍ  Ｅｖｏｌｕｔｉｏｎ）仕様の少なくとも１つの改訂に従って、前記送信信号を送信し、
前記複数の制御サブキャリアは、前記地理的位置依存制御情報および前記データ層制御情報を伝達するために、ＰＤＣＣＨ（Ｐｈｙｓｉｃａｌ  Ｄｏｗｎｌｉｎｋ  Ｃｏｎｔｒｏｌ  Ｃｈａｎｎｅｌ）を備える、請求項１５に記載の基地局。
【請求項１７】
前記データ層制御情報は、前記ＵＥデータ層のＵＥ変調次数および前記ＭＴＣデータ層のＭＴＣ変調次数を含む、請求項１４に記載の基地局。
【発明の詳細な説明】
【優先権の主張】
【０００１】
本出願は、２０１６年１０月１０日に出願された、発明の名称が「ＳＩＮＧＬＥ−ＵＳＥＲ  ＭＵＬＴＩ−ＤＥＶＩＣＥ  ＳＵＰＥＲＰＯＳＩＴＩＯＮ  ＴＲＡＮＳＭＩＳＳＩＯＮ」である仮出願第６２／４０６，２１１号と、２０１６年１０月２１日に出願された、発明の名称が「ＲＥＳＯＵＲＣＥ  ＳＨＡＲＩＮＧ  ＢＥＴＷＥＥＮ  ＴＨＥ  ＭＴＣ  ＤＡＴＡ  ＡＮＤ  ＴＨＥ  ＭＢＢ  ＤＡＴＡ  ＦＯＲ  ＳＩＮＧＬＥ−ＵＳＥＲ  ＭＵＬＴＩ−ＤＥＶＩＣＥＳ  ＳＣＥＮＡＲＩＯ」である仮出願第６２／４１０，９６６号と、２０１６年１０月２６日に出願された、発明の名称が「ＣＯＤＥ  ＤＩＶＩＳＩＯＮ  ＭＵＬＴＩＰＬＥＸＩＮＧ  ＭＴＣ  ＤＡＴＡ  ＷＩＴＨ  ＴＨＥ  ＭＢＢ  ＤＡＴＡ  ＦＯＲ  ＳＩＮＧＬＥ−ＵＳＥＲ  ＭＵＬＴＩ−ＤＥＶＩＣＥＳ  ＳＣＥＮＡＲＩＯ」である仮出願第６２／４１２，９９７号と、に対する優先権を主張し、それらの全てが本出願の譲受人へ譲渡されており、それらの全体が参照により本明細書に明示的に援用されている。
【技術分野】
【０００２】
本発明は、一般に無線通信に関し、より詳細には、共通の地理的位置制御情報を有する複数のユーザ機器（ＵＥ）装置に複数のデータ層を有する信号を送信するための装置および方法に関する。
【背景技術】
【０００３】
従来の通信システムでは、基地局はサービスエリア内の複数の装置に信号を送信し、各装置はその特定の地理的位置に基づいて固有の制御情報を受信する。ＵＥ装置の地理的位置に依存する制御情報として例えば、多入力多出力（ＭＩＭＯ）アンテナに関するパラメータが含まれる。状況によっては、変調符号化方式（ＭＣＳ）パラメータも同じように含まれる。
【０００４】
マシン型通信（ＭＴＣ）は、必ずしも人的交流を必要としない１つ以上のエンティティが関与するデータ通信の形態である。特定の実施態様に応じて、ＭＴＣ装置は、１つ以上のサーバまたは他の装置と通信し得る。通信事業者は、ＭＴＣサーバが通信事業者によって制御されているかどうかにかかわらず、ＭＴＣサーバにネットワーク接続を提供する。ＭＴＣ装置は通常、マシン型通信用に装備され、公衆移動通信網（ＰＬＭＮ）を介してＭＴＣサーバおよび／または他のＭＴＣ装置と通信するユーザ機器（ＵＥ）装置である。状況によっては、ＭＴＣ装置は他のエンティティとの有線または無線接続を介してローカル通信をする。
【０００５】
ＭＴＣ装置は、様々な用途でますます使用されている。一般的な使用分野として例えば、セキュリティ、追跡、健康、支払い、遠隔診断、計量および家電が含まれる。多くの具体的な用途として例えば、監視システム制御、（例えば、建物への）物理的アクセスの制御、フリート管理、注文管理、資産追跡、ナビゲーション、交通情報、道路通行料、販売時点管理、自動販売機、ゲーム機、バイタルサイン監視、Ｗｅｂアクセス遠隔医療ポイント、センサ、照明、ポンプ、バルブ、およびエレベーターの遠隔保守および制御、車両診断、電力、ガス、水道、および暖房の計量、格子制御、デジタルフォトフレーム、カメラ、および電子書籍の管理および制御などが含まれる。
【発明の概要】
【０００６】
基地局は、送信信号をユーザ機器（ＵＥ）装置およびマシン型通信（ＭＴＣ）装置に送信する。送信信号は、ＵＥ装置のためのＵＥデータを伝達する複数のデータサブキャリアを含み、データサブキャリアの少なくとも一部は、ＵＥデータ層のＵＥデータの少なくとも一部を伝達し、ＭＴＣデータ層のＭＴＣ装置のためのＭＴＣデータを伝達する。送信信号はまた、ＵＥ装置およびＭＴＣ装置によるデータサブキャリアの受信に適用される地理的位置依存制御情報を伝達する複数の制御サブキャリアを含む。制御サブキャリアはまた、各装置に固有のデータ層制御情報を伝達する。
【図面の簡単な説明】
【０００７】
図１Ａは、複数の近接する装置に対する階層化データ伝送１０の一例のブロック図である。
【０００８】
図１Ｂは、基地局が階層化データ信号および制御メッセージを複数のユーザ機器（ＵＥ）装置に送信する通信システムのブロック図である。
【０００９】
図２は、データ階層化技術が階層化変調を含む場合の基地局の一例のブロック図である。
【００１０】
図３は、階層化データ信号が階層化変調信号である場合のＵＥ装置の一例のブロック図である。
【００１１】
図４は、ＭＴＣ装置がＵＥ装置（非ＭＴＣ装置）に近接し、階層化変調がデータを階層化するために使用される場合の、通信リソース割り当てを示す基地局からの伝送の一例の図である。
【００１２】
図５は、データ階層化技術が符号分割多重化（ＣＤＭ）を含む場合の基地局の一例のブロック図である。
【００１３】
図６Ａは、ＭＴＣデータが時分割多重化（ＴＤＭ）を用いたＭＢＢデータにオーバーレイされる場合の、ＣＤＭを用いたデータ階層化信号のブロック図である。
【００１４】
図６Ｂは、ＭＴＣデータが周波数分割多重（ＦＤＭ）を用いたＭＢＢデータにオーバーレイされる場合の、ＣＤＭを用いたデータ階層化信号のブロック図である。
【００１５】
図７は、階層化データ信号がＣＤＭを用いた階層化である場合のＵＥ装置の一例のブロック図である。
【００１６】
図８は、階層化データ伝送を互いに近接している複数の装置に伝送する方法の一例のフローチャートである。
【００１７】
図９は、ＵＥ装置において階層化データ伝送を受信する方法のフローチャートである。
【発明を実施するための形態】
【００１８】
特定の状況では、複数のユーザ機器（ＵＥ）装置が互いに近接して配置され得る。このような状況は、複数の装置が同じユーザに関連付けられ、同時に使用され得る場合に発生する可能性がある。例えば、ユーザはスマートフォンでビデオを見ながら、ヘッドセットで関連する音声ストリームを聞く可能性がある。近年、ますます多くのユーザが様々な目的で複数の装置を使用している。例えば、ユーザはスマートフォン、タブレット、スマートウォッチを持ち、各装置はワイヤレス接続をしている。これらの装置は、すべて独立してネットワークに接続し、様々な機能を実行する。ネットワークに接続されている装置の数が増加すると、トラフィック負荷も増加し、これらの装置の管理も増加する。同じユーザによって使用される複数の装置に効率的な無線サービスを提供するために、スペクトルリソースおよび制御信号の量を減らす必要がある。
【００１９】
本明細書で説明する技術では、各ＵＥ装置のデータを含むデータ階層化信号を送信し、ＵＥ装置の地理的位置に基づき、基地局によって生成された共通地理的依存制御データを含む共通制御メッセージを送信することによって、複数のユーザ機器（ＵＥ）装置の近接性を利用する。ＵＥ装置は互いに十分に近接しているので、ＵＥ装置のうちの１つに適用される地理的依存制御情報を他のＵＥ装置に適用して各装置でデータ信号を首尾よく受信することができる。制御メッセージはまた、各装置について少なくとも１つのデータ層制御情報フィールドを含み、フィールドのデータ層制御情報は特定の装置に適用され、その装置を対象とするデータ階層化信号のデータをその装置が回復できるようにする。したがって、複数のＵＥ装置は、同じデータ信号および同じ制御メッセージを受信するが、その装置向けのデータのみを回復する。その結果、データ信号を受信するすべてのＵＥ装置に適用される制御メッセージを送信しながら、同じ時間、周波数および空間通信リソースがすべてのＵＥ装置にデータを送信するために使用されるので、通信リソースは効率的に利用される。以下に説明するように、説明する技術は、マシン型通信（ＭＴＣ）を含む用途において特に有用であり得る。状況によっては、装置のうちの１つのみからのフィードバック情報が、伝送設定、変調、符号化率、および伝送のタイミングパラメータに適用されてもよい。例えば、タイミング調整（ＴＡ）に関連するフィードバックは、１つの装置から基地局で受信され、基地局からの伝送を受信する他の近接する装置にとって正確であると仮定されてもよい。
【００２０】
図１Ａは、複数の近接する装置に対する階層化データ伝送１０の一例のブロック図である。階層化データ伝送１０は、互いに近くに位置する複数の装置に情報を送信するために、時間、周波数および空間リソースを共有する。データ階層化伝送は、複数の近接する装置に適用される共通位置依存制御情報１２と、データ階層化に関する各装置の情報を含む装置固有データ階層化制御情報と、を含む。階層化データ伝送１０の階層化データ１６は、同じ時間、周波数および空間通信リソースを使用して、装置依存のデータを各装置に伝達する。各装置は、共通位置依存制御情報１２および装置固有データ階層化制御情報１４の装置依存情報を使用して、その装置を対象とする層データ１６からデータ１８，２０を受信する。したがって、同じ場所に配置された２つの装置の場合、第１装置は、第１装置データ１８を回復するために、装置固有データ階層化制御情報１４の第１情報を適用し、第２装置は、第２装置データ２０を回復するために、装置固有データ階層化制御情報１４の第２情報を適用する。近接する装置は、空間ベクトルおよびＭＩＭＯパラメータなどの共通の制御情報が少なくとも類似し、場合によっては同じになるくらい、互いに十分に近い。状況によっては、装置は互いに１フィート以内にあってもよい。他の状況では、装置間の距離は２フィート未満にあってもよい。さらに他の状況では、装置は互いに３フィート未満にあってもよい。特定のシステム実装およびチャネル状態に応じて、装置間の距離はそれ以外も可能であり得る。
【００２１】
図１Ｂは、基地局１０２が階層化データ信号１０４および制御メッセージ１０６を複数のユーザ機器（ＵＥ）装置１０８、１１０に送信する通信システム１００のブロック図である。図１Ｂは、２つのＵＥ装置にデータを提供するために図１Ａの階層化データ伝送１０を利用するシステムの一例である。したがって、制御メッセージ１０６および階層化データ信号１０４は、階層化データ伝送１０の一例である。基地局１０２は、第１装置１０８を対象とする第１データ１１２が信号で第１データ層に送信され、第２装置１１０を対象とする第２データ１１４が信号で第２データ層に送信されるように、階層化データ信号１０４にデータを配置する。データ階層化はいくつかの技術のうちのいずれかを使用して適用され得るが、本明細書で説明する２つの例は、データに階層化変調を適用すること、およびデータに符号分割多重化（ＣＤＭ）を適用することを含む。基地局１０２はまた、ＵＥ装置１０８、１１０におけるデータ階層化信号１０４の受信に関する制御情報を含む制御メッセージ１０６を送信する。制御メッセージ１０６は、共通地理的位置依存制御情報１１６と、各装置に対する少なくとも１つのデータ層情報フィールドと、を含む。図１Ｂの例では、２つのデータ階層化情報フィールド１１８、１２０が第１装置に割り当てられ、２つのデータ階層化情報フィールド１２２、１２４が第２装置１１０に割り当てられている。共通地理的位置依存制御情報１１６は、ＵＥ装置１０８、１１０の位置をもたらす、またはそうでなければそれに依存する制御情報である。共通地理的位置依存制御情報１０６の例には、ＭＩＭＯ設定、ＰＭＩ（Ｐｒｅｃｏｄｉｎｇ  Ｍａｔｒｉｘ  Ｉｎｄｅｘ）、ＰＭＩ確認ビット、ＰＤＳＣＨおよびＲＳ間のパワーオフセット、ＤＭ?ＲＳスクランブル系列インデックス、層数、および位相追跡ＲＳ系列インデックスが含まれる。上述のように、制御メッセージ１０６はまた、各ＵＥ装置１０８、１１０に関連付けられたデータ階層化情報フィールド１１８、１２０、１２２、１２４に配置されたデータ階層化情報１２６、１２８を含む。本明細書で説明する例では、各データ層情報フィールドは特定のＵＥ装置を対象とし、関連するＵＥ装置が、そのＵＥ装置を対象とするデータを回復するための情報を含む。データ層情報フィールド１１８、１２０、１２２、１２４は、ＵＥ装置向けのデータを回復するために、ＵＥ装置によって使用されるデータ階層化に関する情報を含む。データが階層化変調を使用して階層化される状況では、データ層情報フィールドは、変調符号化方式（ＭＣＳ）、冗長度バージョン（ＲＶ）、新データ指標（ＮＤＩ）、および各データストリームのデータ系列情報を含み得る。ＣＤＭがデータ階層化に使用される場合、データ階層化情報フィールドは例えば、ＣＤＭコードを含み得る。図１Ｂの例では、制御メッセージ１０６は、第１装置１０８に関する第１データ階層化情報フィールド１１８、第１装置に関する第２データ階層化情報フィールド１２０、第２装置に関する第１データ階層化情報フィールド１２２、および第２装置に関する第２データ階層化情報フィールド１２４を含む。したがって、第１データ階層化情報１２６は、第１フィールド１１８お���び第２フィールド１２２を含み、第１フィールド１１８は第１装置１０８に関する情報を含み、第２フィールド１２２は第２装置１１０に関する情報を含む。第２データ階層化情報１２８は、第１フィールド１２０および第２のフィールド１２４を含み、第１フィールド１２０は第１装置１０８に関する情報を含み、第２フィールド１２４は第２装置１１０に関する情報を含む。一例として、第１データ階層化情報１２６はＭＣＳであってもよく、その場合、第１フィールドが第１装置を対象とする第１データにおいて第１データ層のＭＣＳ（第１符号化率）を含み、第２フィールドが第２装置を対象とする第２データ層（第２符号化率）の第２データ層の第２ＭＣＳを含む。第２データ階層化情報１２８は、データが変調シンボルのＬＳＢまたはＭＳＢのどちらに割り当てられているかの指示子を含んでいてもよい。ＣＤＭがデータ階層化のために使用される場合、データ階層化情報１２６は各フィールドの各装置に対する多重化コードを含んでいてもよい。制御メッセージ１０６は、特定の状況に応じて任意の数のデータ階層化情報パラメータおよびフィールドを含むことができる。制御メッセージは、データに関する装置固有制御情報に加えてデータに関する共通制御情報を含む。例えば、データに使用される時間・周波数リソースがＵＥ装置に対して同じである場合、データに関連する共通制御情報は、データがデータ信号にある場合に、時間・周波数リソースを識別する情報を含んでいてもよい。
【００２２】
したがって、基地局１０２は、第１ＵＥ装置１０８および第２ＵＥ装置１１０に制御チャネル１３０を介して制御メッセージ１０６を送信し、第１ＵＥ装置１０８および第２ＵＥ装置１１０にデータチャネル１３２を介してデータ階層化信号１０４の第１データ１１２および第２データ１１４を送信する。第１ＵＥ装置１０８は、制御メッセージ１０６を受信し、データ階層化信号１０４を受信するために共通制御情報１１６を適用し、第１データ（Ｄ１データ）を回復するために、第１装置データ階層化情報フィールド１１８、１２０のデータ階層化制御情報１２６、１２８を適用する。第２ＵＥ装置１１０は、制御メッセージ１０６を受信し、データ階層化信号１０４を受信するために共通階層化情報１１６を適用し、第２データ（Ｄ２）を回復するために第２装置データ階層化情報フィールド１２２、１２４のデータ階層化制御情報１２６、１２８を適用する。
【００２３】
図２は、データ階層化技術が階層化変調を含む場合の基地局２００の一例のブロック図である。したがって、図２の基地局２００は、図１Ｂの例における基地局１０２の一例である。基地局２００は、両方の装置に送信される階層化変調信号を生成するために、各装置のデータを別々に符号化し、符号化データを変調する。図２の例で示すように、基地局２００は、ｅＮＢ、ｅＮｏｄｅＢ、アクセスポイント、または３ＧＰＰ通信仕様の改訂に従って動作するシステムにおいて同様のタスクを実行する他の任意の装置である。基地局２００を参照して説明したブロックの様々な機能および動作は、任意の数の装置、回路、電子機器、コード、または要素で実施されてもよい。２つ以上の機能ブロックは単一の装置に統合されてもよく、任意の単一のブロックで実行されるものとして説明した機能はいくつかの装置にわたって実施されてもよい。例えば、基地局２００の２つの符号化部２０６、２１０の機能は、異なるビットセットに異なる符号化率を適用することができる単一の装置によって実行されてもよい。また、符号化部２０６、２１０およびシーケンス部２１４の機能は、状況によっては単一の信号処理装置によって実行されてもよい。
【００２４】
第１装置１０８を対象とする第１データ２０２は、Ｋ１個の情報ビットを含む。第２装置１１０を対象とする第２データ２０４は、Ｋ２個の情報ビットを含む。第１データ情報ビット２０２は、第１符号化ビットセット２０８を生成するために、第１符号化率（Ｒ１）を有する第１符号化部２０６により符号化される。第２データ情報ビット２０４は、第２符号化ビットセット２１２を生成するために、第２符号化率（Ｒ２）を有する第２符号化部２１０により符号化される。シーケンス部２１４は、第１符号化ビットセット２０８のビットおよび第２符号化ビットセット２１２のビットを、変調部２１６により変調されるビット配列に結合する。この例では、ビット配列は、同数の第１符号化ビット２０８および第２符号化ビット２１２を含む。変調部２１６は、符号化ビット配列に階層化変調を適用するｐ次変調部である。ＭＣＳ管理部２１８は、ＵＥ装置のうちの１つからのフィードバック２２０に少なくとも部分的に基づいて、符号化率および変調次数を決定する。ＭＣＳ管理部２１６は、必要なサービス品質（ＱｏＳ）およびチャネル状態を評価して適切な変調次数および符号化率を決定する。この例では、ＵＥ装置のうちの１つのみが、基地局２２０によって送信された信号の受信に関してフィードバック２２０を提供する。ＵＥ装置１０８、１１０は互いに近接しているので、１つの装置からのフィードバックは他の装置によって提供されるはずのフィードバックに類似していると仮定される。しかしながら、状況によっては、フィードバック２２０は、たとえ複数のＵＥ装置が互いに近接して配置されていても、複数のＵＥ装置によって提供されてもよい。装置フィードバックは、例えば、チャネル状態およびタイミングに関連するパラメータを含む。
【００２５】
変調部２１６によって生成されたＬ個のシンボルは、送信部によって送信される前に、リソースおよび空間処理部２２２によって処理される。制御メッセージを含む制御情報２２４もまた送信前に処理部２２２によって処理される。リソースマッピングは、送信に使用される時間帯およびサブキャリアを割り当てることを含む。空間処理は、送信前にＭＩＭＯパラメータに基づく空間係数を信号に適用することを含む。例えば、送信信号にビーム形成ベクトル（プリコーディング）を適用することができる。制御情報は、送信信号と同じ空間処理パラメータを有していてもよい。
【００２６】
送信部２２６は、基地局２００のサービスエリア、またはサービスエリアのセクタ内で階層化変調信号１０４を送信する。例えば、符号化率Ｋ１およびＫ２は、第１符号化ビットセット２０８の数（Ｋ１）が第２符号化ビットセット２１２の数（Ｋ２）に等しくなるように選択される。Ｌがデータ階層化信号１０４に生成された変調シンボルの総数である場合、第１符号化ビットセットの符号化ビット数および第２符号化ビットセットの符号化ビット数はｐＬ／２に等しい。ここで、ｐは変調部２１６の変調次数である。第１符号化部の符号化率はＲ１であり、第２符号化部の符号化率はＲ２であり、ここで、Ｒ１＝Ｋ１／（ｐＬ／２）およびＲ２＝Ｋ２／（ｐＬ／２）である。
【００２７】
図２の例では、階層化変調は、第１データ１１２が変調シンボルの最上位ビット（ＭＳＢ）によって表され、第２データが変調シンボルの最下位ビット（ＬＳＢ）によって表されるように、符号化ビットを順序付けることによって生じる。シーケンス部２１４は、第１符号化部２０６からの符号化ビットをシンボルの最上位ビットとして適用し、第２符号化部２１０からの符号化ビットをシンボルの最下位ビットに適用する。状況によっては、符号化ビットの配列は事前に決定されており、静的である。しかしながら、他の状況では、伝送１１２におけるビット配列は動的に変化しているか、そうでなければＵＥ装置１０８、１１０によって知られていない。その結果、基地局２００は、制御メッセージ１０６の制御情報の一部として、その配列をＵＥ装置１０８、１１０に提供する。配列がＵＥ装置に知られている場合、配列情報は送信されない。例えば、配列が１つの符号化部からの最上位ビットおよび第２符号化部からの最下位ビットを使用することを含み、装置１０８、１１０が割り当てを認識している場合、配列情報はＵＥ装置に送信される必要はない。
【００２８】
通常、基地局は、変調符号化方式（ＭＣＳ）構成情報をＵＥ装置に提供する。本明細書の例では、基地局２００は両方の符号化率についてＭＣＳ情報を提供する。その結果、基地局はＭＣＳ１およびＭＣＳ２を送信する。受信部は制御チャネルを復号し、それに応じて関連するデータ列を復調／復号する。図１Ｂを参照して上述したように、制御メッセージ１０６は、ＵＥ装置の位置に依存する共通制御情報１１６と、データを送信するために使用されるリソースに関する制御情報とを含み、これは両方のＵＥ装置に適用される。制御メッセージ１０６はまた、各ＵＥ装置に固有のデータ層に関する特定の制御情報を含む。図２の例では、制御メッセージ１０６は、第１データのＭＣＳ、第２データのＭＣＳ、第１データのＬＳＢまたはＭＳＢを示す配列情報、第２データのＬＳＢまたはＭＳＢを示す配列情報、第１データのＲＶおよびＮＤＩ、第２データのＲＶおよびＮＤＩ、信号内のデータ位置（これは第１データおよび第２データに対して同じである）、およびＭＩＭＯ伝送モードおよび空間処理に必要なパラメータ（これは第１データおよび第２データに対して同じである）。変調層に関する追加のパラメータもまた、第１データおよび第２データのそれぞれに対して提供され得る。例えば、２０１５年１２月の３ＧＰＰ  ＴＲ  ３６．８５９  ｖ  １３．０．０のセクション５で論じられている重ね合わせ伝送技術が使用される場合、振幅重み（√ａ）が提供され得る。状況によっては、追加情報が制御メッセージ１０６に提供されてもよい。例えば、第１データおよび第２データ間の関係が提供されてもよい。そのような情報は、例えば、一方の装置がユーザに映像を提供し、他方の装置が音声を提供している場合、各装置におけるデータバッファリングのための映像ストリームのデータブロック数に一致する音声ストリームのブロック数を含み得る。
【００２９】
図３は、階層化データ信号が階層化変調信号である場合のＵＥ装置３００の一例のブロック図である。したがって、ＵＥ装置３００は、図２を参照して一例として説明したＵＥ装置１０８およびＵＥ装置１１０としての使用に適したＵＥ装置の一例である。様々な機能およびＵＥ装置３００を参照して説明したブロックの動作は、任意の数の装置、回路、電子機器、コード、または要素において実装されてよい。２つ以上の機能ブロックを単一の装置に統合してもよく、任意の単一ブロックで実行されるものとして説明した機能をいくつかの装置にわたって実施されてもよい。例えば、受信部３０２、復調部３０４、並びに他の空間処理およびデマッピング機能３０４の機能は、状況によっては単一の受信機装置によって実行されてもよい。
【００３０】
受信部３０２は、基地局１０２（２００）からデータ階層化信号１０４を受信する。リソースデマッピングおよび空間処理部３０４は、空間処理およびデマッピングを実行する。例えば、受信部３０２は制御情報に基づいて空間処理を実行するためのＭＩＭＯパラメータを適用する。リソースデマッピングは、制御チャネルをデータチャネル（ＰＤＣＣＨおよびＰＤＳＣＨ）の時間／周波数リソースから分離する。ＰＤＣＣＨを復号化した後、受信部３０２は、復調および復号化の前に、データビットを抽出するために正確なＰＤＳＣＨ時間／周波数リソースを決定する。
【００３１】
制御メッセージ１０６を含む制御チャネル情報は、制御チャネル復号部３０６によって復号され、信号のデータチャネル部分は復調部３０８によって復調される。制御チャネル復号部２０６は、変調次数に関する制御メッセージ１０６の内容と、ＵＥ装置３００に関連付けられて割り当てられているデータ階層化情報フィールドに位置するデータ階層化パラメータと、を決定する。復調部３０８は、符号化ビット２０８および符号化ビット２１２を含む符号化ビット配列３１０を生成するために、制御チャネル復号部によって決定された変調次数パラメータを適用する。復号部３１２は、制御チャネル復号部３０６によって取得されたデータ階層化情報に従って、ＵＥ装置３００を対象とするデータを回復する。したがって、ＥＵ装置３００が第１ＵＥ装置１０８である場合、制御チャネル復号部３０６は第１ＵＥ装置１０８に割り当てられた符号化率および配列順序を識別し、復号部３１２はその情報を適用して第１データ１１２を回復する。ＥＵ装置３００が第２ＵＥ装置１１０である場合、制御チャネル復号部３０６は第２ＵＥ装置１１０に割り当てられた符号化率および配列順序を識別し、復号部３１２は、第２データ１１４を回復するために情報を適用する。
【００３２】
上述のように、ＭＴＣ装置は多数の用途にますます使用され、ＭＴＣ装置は他の装置およびサーバと情報を交換する。ＭＴＣ装置との通信を容易にするネットワークは、ＭＴＣ装置の特定の要件および制限に対応しながら、多数のＭＴＣ装置による増加した通信量を処理しなければならない。同時に、ユーザは、少なくともいくつかの装置がＭＴＣを利用する場合において、ますます多くの装置を操作するようになっている。結果として、同じユーザに関連付けられたＭＴＣ装置の近接は、通信リソースをより効率的に利用するために本明細書で説明された技術を適用する機会を提供する。制御情報のためのリソースの全体的な消費を減らすことに加えて、データ階層化技術は、同じ時間・周波数・空間リソースを使用して複数の装置にサービスを提供する。
【００３３】
図４は、ＭＴＣ装置がＵＥ装置（非ＭＴＣ装置）に近接し、階層化変調がデータを階層化するために使用される場合の、通信リソース割り当てを示す基地局からの伝送の一例の図である。ＵＥ装置はスマートフォンであってもよく、ＭＴＣ装置は両方の装置が単一ユーザによって使用されている場合のヘッドセットであってもよい。ヘッドセットはＭＴＣ装置のため、スマートフォンよりもはるかに狭い帯域幅で動作するから、より狭い帯域幅で信号を送受信する。例えば、伝送４００の制御メッセージ４０２は、ＭＴＣ装置およびスマートフォンに関する制御情報を含む。伝送はＮｄ１  ４０４の帯域幅を利用し、スマートフォンに関する情報は全帯域幅Ｎｄ１  ４０４に分散され、ヘッドセット（ＭＴＣ装置）に関する情報は送信の一部においてより狭い帯域幅Ｎｄ２  ４０６にしか見出されない。したがって、図４の例では、Ｎｄ２データ領域内のサブキャリアのみが両方の装置に対するデータを多層化する。残りのＮｄ１のサブキャリアは、スマートフォン用のデータのみを含む。スマートフォン（ＵＥ装置）は、制御メッセージ４０２を復号し、スマートフォンを対象とする第１データ層４１０のデータ４０８を回復する。ヘッドセットは、制御メッセージ４０２を復号し、ヘッドセット（ＭＴＣ装置）を対象とする第２データ層４１４のデータ４１２を回復する。
【００３４】
したがって、基地局は、装置位置に依存する制御情報のうちの少なくともいくつかが同じであるくらいＵＥ装置およびＭＴＣ装置が十分に近接する場合には、２つの装置に送信信号を送信する。送信信号は、ＵＥ装置のためのＵＥデータを伝達する複数のデータサブキャリアを含む。ＵＥデータに使用されるデータサブキャリアの少なくとも一部はまた、ＵＥデータ層にＵＥデータを含み、ＭＴＣデータ層にＭＴＣ装置のためのＭＴＣデータを含めることによって、ＭＴＣ装置のためのＭＴＣデータを伝達する。送信信号はまた、ＵＥ装置およびＭＴＣ装置によるデータサブキャリアの受信に適用される地理的位置依存制御情報を伝達する複数の制御サブキャリアを含む。両方の装置に適用される地理的位置依存制御情報に加えて、制御サブキャリアはまた、ＵＥデータ層のＵＥデータの回復に適用されるＵＥデータ層制御情報およびＭＴＣデータ層のＭＴＣデータの回復に適用されるＭＴＣデータ層制御情報を含むデータ層制御情報を伝達する。例えば、データ層制御情報は、ＵＥフィールドがＵＥデータ層制御情報を含み、ＭＴＣフィールドがＭＴＣデータ層制御情報を含むように、下りリンク制御情報（ＤＣＩ）の異なるフィールドに配置される。他のデータ層情報の中でも、ＵＥデータ層制御情報は、ＵＥデータを伝達する時間・周波数リソースを識別し、ＭＴＣデータ層制御情報は、ＭＴＣデータを伝達する時間・周波数リソースを識別する。上述のように、地理的位置依存制御情報は、両方の装置が共通の位置のために両方の装置に適用される制御情報を含み、更に多入力多出力（ＭＩＭＯ）パラメータおよび送信モードパラメータなどのパラメータを含んでいてもよい。
【００３５】
本明細書で説明する例では、送信信号は、制御サブキャリアが地理的位置依存制御情報およびデータ層制御情報を伝達するためにＰＤＣＣＨ（Ｐｈｙｓｉｃａｌ  Ｄｏｗｎｌｉｎｋ  Ｃｏｎｔｒｏｌ  Ｃｈａｎｎｅｌ）を備えるように、３ＧＰＰ（Ｔｈｅ  Ｔｈｉｒｄ  Ｇｅｎｅｒａｔｉｏｎ  Ｐａｒｔｎｅｒｓｈｉｐ  Ｐｒｏｊｅｃｔ）  ＬＴＥ（Ｌｏｎｇ  Ｔｅｒｍ  Ｅｖｏｌｕｔｉｏｎ）仕様の少なくとも１つの改訂に従って送信される。また、ＰＤＣＣＨの追加の下りリンク制御情報（ＤＣＩ）フィールドは、ＭＴＣデータがＵＥデータを伝達するサブキャリアのうちの少なくともいくつかに含むという指示子を含むことができる。
【００３６】
図４の例では、階層変調が用いられているので、データ層制御情報は、ＵＥデータ層のＵＥ変調次数およびＭＴＣデータ層のＭＴＣ変調次数を含む。この例に上述した技術を適用すると、ＵＥデータ情報ビットは第１符号化ビットを生成するために第１符号化率により符号化され、ＭＴＣデータ情報ビットは第２符号化ビットを生成するために第２符号化率で符号化される。次に、第１符号化ビットおよび第２符号化ビットは、ＭＴＣデータおよびＵＥデータの両方を表すシンボルを含む変調信号を生成するために、変調部によって変調される。データ層制御情報は、第１符号化率および第２符号化率を含む。ビット配列が変調されたときにＵＥデータが各変調シンボルのＬＳＢまたはＭＳＢで表され、ＭＴＣデータがＵＥデータに使用されていない他方のＬＳＢセットまたはＭＳＢセットによって表されるように、変調前に第１符号化ビットおよび第２符号化ビットは、ビット配列に配置される。次に、ＵＥデータ層制御情報は、ＬＳＢまたはＭＳＢがＵＥデータを表しているかどうかを識別し、ＭＴＣデータ層制御情報は、ＬＳＢまたはＭＳＢがＭＴＣデータを表しているかどうかを識別する。
【００３７】
いくつかの状況では、ＭＴＣデータは、ＭＴＣ装置が既知の所定のフォーマットであってもよい。その結果、ＭＴＣデータ層制御情報は、限られた情報形態のみを含んでいてもよい。一例では、ＭＴＣデータ層制御情報は、ＭＴＣデータがＵＥデータを伝達するデータサブキャリアの一部にオーバーレイされることを示す階層化データ指標のみを含む。したがって、ＭＴＣデータ階層化情報フィールドは、階層化ＭＴＣデータがあるかどうかを示す１ビットフラグを含んでいてもよい。所定のフォーマットは、変調符号化方式（ＭＣＳ）、ＭＴＣデータのサイズ、およびデータサブキャリアの一部にオーバーレイされたＭＴＣデータの時間・周波数リソースを含んでいてもよい。状況によっては、所定のフォーマットはまた、ＵＥデータおよびＭＴＣデータの共通の空間リソースを含んでいてもよい。
【００３８】
図５は、データ階層化技術が符号分割多重化（ＣＤＭ）を含む場合の基地局５００の一例のブロック図である。したがって、図５の基地局５００は、図１Ｂの例における基地局１０２の一例である。基地局５００は、変調データが直交符号と符号分割多重化される前に生成するために、各装置のデータを別々に符号化し各符号化データセットを別々に変調する。ＣＤＭ信号は、装置への伝送前にさらに処理される。図５の例では、基地局５００は、ｅＮＢ、ｅＮｏｄｅＢ、アクセスポイント、または３ＧＰＰ通信仕様の改訂に従って動作するシステムにおいて同様のタスクを実行する任意の他の装置である。基地局５００を参照して説明されるブロックの様々な機能および動作は、任意の数の装置、回路、電子機器、コード、または要素で実施されてもよい。２つ以上の機能ブロックは単一装置に統合されてもよく、任意の単一ブロックで実行されるものとして説明される機能はいくつかの装置にわたって実施されてもよい。例えば、基地局５００の２つの符号化部５０６、５１０の機能は、異なる符号化率を異なるビットセットに適用することができる単一装置によって実行されてもよい。
【００３９】
図５の例では、第１装置はモバイルブロードバンド（ＭＢＢ）を利用するＵＥ装置であり、第２装置はＭＴＣ  ＵＥ装置である。ある状況では、ＵＥ装置はスマートフォンであり、ＭＴＣ  ＵＥ装置は上述のようにヘッドセットである。
【００４０】
第１装置１０８を対象とする第１データ５０２は、ＭＢＢ情報ビットを含む。第２装置１１０を対象とする第２データ５０４は、ＭＴＣ情報ビットを含む。第１ＭＢＢデータ情報ビット５０２は、第１符号化ビットセット５０８を生成するために、第１符号率（Ｒ１）を有する第１符号化部５０６によって符号化される。ＭＴＣデータ情報ビット５０４は、第２符号化ビットセットを生成するために、第２符号化率（Ｒ２）を有する第２符号化部５１０によって符号化される。第１符号化ビット５０８は、２つのストリームを生成するために逆多重化部５１４において逆多重化され、各ストリームは、符号分割多重化部５１６によってＣＤＭ符号（Ｃ０、Ｃ１）で拡散される。符号分割多重化部５１６は、第１データ層および第２データ層を生成するために、第１装置データおよび第２装置データに符号分割多重化（ＣＤＭ）を適用するように構成される。例えば、ＭＢＢデータ信号は２つのストリームに分離され、一方のストリームはＣＤＭコードＣ０で拡散され、他方のストリームはコードＣ１で拡散される。ＭＴＣ符号化ビット５１２は他のＣＤＭコード（Ｃ２）で拡散される。例えば、ＣＤＭコード（Ｃ０、Ｃ１、Ｃ２）は直交である。擬似ランダム（ＰＮ）配列がｍｏｄ２乗算部５２０によって結合信号に適用される前に、ＣＤＭ拡散データストリームは結合部５１８において結合される。ＰＮ配列（ウォルシュコードとは異なる）は通常、Ｍ配列によって形成される。ｍ配列は優れた循環自己相関特性を有し、同じｍ系列の任意の遅延バージョンとｍ系列の相互相関は非常に低い相互相関値（すなわち、最小の干渉）となる。したがって、第１装置向けの信号は第２装置によって受信されるときにはるかに小さくなる。
【００４１】
変調部５２２は、ＭＣＳ管理部５２４によって提供された変調部次数を使用して、ｍｏｄ２乗算部５２０によって生成された信号を変調する。ＭＣＳ管理部５２４は、ＵＥ装置のうちの１つからのフィードバック５２５に少なくとも部分的に基づいて符号化率および変調次数を決定する。ＭＣＳ管理部５２４は、必要なサービス品質（ＱｏＳ）およびチャネル状態を評価して適切な変調次数および符号化率を決定する。この例では、ＵＥ装置のうちの１つのみが、基地局５００によって送信された信号の受信に関してフィードバック５２５を提供する。ＵＥ装置１０８、１１０は互いに接近しているので、１つの装置からのフィードバックは他の装置によって提供されるはずのフィードバックに類似していると仮定される。しかしながら、いくつかの状況によっては、フィードバック５２５は、複数のＵＥ装置が互いに近接して配置されていても、複数のＵＥ装置によって提供されてもよい。装置フィードバックの例は、チャネル状態およびタイミングに関連するパラメータを含む。
【００４２】
変調信号は、リソースおよび空間処理部５２６によってさらに処理される。処理部５２６は空間処理およびリソースマッピングを適用する。リソースマッピングは、送信に使用される時間帯およびサブキャリアを割り当てることを含む。空間処理は、送信前にＭＩＭＯパラメータに基づく空間係数を信号に適用することを含む。例えば、ビーム形成ベクトルを送信信号に適用することができる。
【００４３】
送信部５２８は、基地局５００のサービスエリアまたはサービスエリアのセクタ内にデータ階層化信号１０４を送信する。図５の例では、制御メッセージ１０６は符号化ビットを拡散するために使用されるＣＤＭ符号（Ｃ０、Ｃ１、Ｃ２）を識別する。また、この例では、送信部５２８はＯＦＤＭ送信部である。例えば、ＦＢＭＣ（Ｆｉｌｔｅｒ  Ｂａｎｋ  Ｍｕｌｔｉｃａｒｒｉｅｒ）技術のような、他種類の関連する送信技術が信号を送信するために使用されてもよい。
【００４４】
通常、基地局は変調符号化方式（ＭＣＳ）構成情報をＵＥ装置に提供する。本明細書の例では、基地局５００は両方の符号化率についてＭＣＳ情報を提供する。その結果、基地局はＭＣＳ１およびＭＣＳ２を送信する。受信部は制御チャネルを復号し、それに応じて関連するデータストリームを復調／復号する。図１Ｂを参照して上述したように、制御メッセージ１０６はＵＥ装置の位置に依存する共通制御情報１１６およびデータを送信するために使用されるリソースに関する制御情報を含み、これは両方のＵＥ装置に適用される。制御メッセージ１０６はまた、各ＵＥ装置に固有のデータ層に関する固有の制御情報を含む。図５の例では、制御メッセージ１０６は、第１データのＭＣＳ、第２データのＭＣＳ、第１データのＲＶおよびＮＤＩ、第２データのＲＶおよびＮＤＩ、第１データのＨｙｂｒｉｄ−ＨＡＲＱパラメータ、第２データのＨｙｂｒｉｄ−ＨＡＲＱパラメータ、信号のデータ位置（第１データおよび第２データに対して同一）、および空間処理に必要なＭＩＭＯおよび伝送モードパラメータ（第１データおよび第２データに対して同一）を含む。状況によっては、追加情報が制御メッセージ１０６に提供されてもよい。例えば、第１データおよび第２データの間の関係が提供されてもよい。そのような情報は、例えば、ユーザに一方の装置が映像を提供し他方の装置がオーディオを提供する場合に、各装置におけるデータバッファリングのための映像ストリームのデータブロックの数に一致する音声ストリームのブロックの数を含んでいてもよい。
【００４５】
したがって、ＣＤＭデータ階層伝送は、単一制御チャネルおよび単一リソース割り当てが、互いに近接している２つの装置に２つのデータストリームを配信することを可能にする。一般に、ＣＤＭの使用は、低減されたデータ転送速度を犠牲にして複数の装置のためのリソース（スペクトル）の同時使用を可能にする。データ転送速度低下の程度は、ＰＮ配列（例えば、ｍ配列）の長さに依存する。拡散符号が長くなればなるほど、拡散利得が増加する一方でデータ転送速度の減少が大きくなる。しかしながら、ＣＤＭデータ階層化技術は、用途または装置種類に基づいて１つ以上のＣＤＭコード（例えば、ウォルシュコード）を特定の装置に割り当てることによって対応される装置間のデータ転送速度をネットワークが偏らせることを可能にする。特に、各装置に要求されるデータ転送速度に応じて、ネットワークは一方の装置に割り当てられたＣＤＭコードの数を他方の装置と比較して変更してもよい。図５の例では、第２装置１１０は第１装置１０８よりも比較的低いデータ転送速度を要求するので、第２装置（ＭＴＣ装置）１１０には１つのＣＤＭコード（Ｃ２）が与えられるが、第１装置（ＭＢＢ装置）には２つのＣＤＭコード（Ｃ０およびＣ１）が割り当てられる。第１装置の受信部は、Ｃ０およびＣ１で符号化された２つのデータストリームからのデータを結合する。この例では、すべてのコードのコード長は同一である。
【００４６】
ＭＴＣデータシンボルは、時分割多重化（ＴＤＭ）または周波数分割多重化（ＦＤＭ）のいずれかを使用してＭＢＢデータにオーバーレイされる。図６Ａは、時分割多重化（ＴＤＭ）を使用してＭＴＣデータがＭＢＢデータにオーバーレイされる場合のＣＤＭを使用したデータ階層化信号６００のブロック図である。したがって、図６Ａの伝送は、データ階層化がＣＤＭ／ＴＤＭを使用して実行される場合の、データ階層化信号１０４および制御メッセージ１０６の一例である。伝送６００は、ＰＤＣＣＨ（ｐｈｙｓｉｃａｌ  ｄｏｗｎｌｉｎｋ  ｃｏｎｔｒｏｌ  ｃｈａｎｎｅｌ）などの制御部分６０２およびＰＤＳＣＨ（ｐｈｙｓｉｃａｌ  ｄｏｗｎｌｉｎｋ  ｓｈａｒｅｄ  ｃｈａｎｎｅｌ）などのデータ部分６０４を含む。データ部６０４は、ＭＢＢデータ６０６およびＭＴＣデータ６０８を含み、ＭＴＣデータ６０８はＣＤＭを使用してＭＢＢデータにオーバーレイされる。
【００４７】
図６Ｂは、周波数分割多重化（ＦＤＭ）を使用してＭＴＣデータがＭＢＢデータにオーバーレイされる場合の、ＣＤＭを使用したデータ階層化信号６１０のブロック図である。したがって、図６Ｂの伝送は、データの階層化がＣＤＭ／ＦＤＭを使用して実行される場合の、データ階層化信号１０４および制御メッセージ１０６の一例である。
【００４８】
したがって、ＭＴＣデータシンボルは、ＭＢＢデータ伝送のためのより大きなリソース割り当ての一部であるＭＢＢデータシンボルにオーバーレイされたＣＤＭ／ＴＤＭまたはＣＤＭ／ＦＤＭのいずれかである。一般に、ＭＴＣ伝送は、比較的大きい制御信号オーバーヘッドに対して、比較的非常に少量のデータを有する。２つの装置間で制御リソースを共有することは、関連するＭＢＢデータに使用される制御信号を共有することによって、ＭＴＣデータ伝送がはるかに低い制御オーバーヘッドを有することを可能にする。ＤＬ制御情報（ＤＣＩ）を伝達する同じＰＤＣＣＨは、スケジューリング割り当てを得るために、両方の装置によって復号される。例えば、追加のフィールドはＤＣＩに追加され、ＭＢＢデータの一部がＣＤＭ伝送を有することを装置に示す。
【００４９】
図７は、階層化データ信号がＣＤＭを使用して階層化される場合のＵＥ装置７００の一例のブロック図である。図７の例では、復調信号を逆スクランブルまたは逆拡散するために単一のＣＤＭコードのみが使用される。その結果、図７は、図５に示される実装における第２ＵＥ装置１１０の一例である。説明する技術は、第１装置のように１つ以上のＣＤＭコードが使用され得る他のＵＥ装置に適用されてもよい。ＵＥ装置７００に関して説明されるブロックの様々な機能および動作は、任意の数の装置、回路、電子機器、コード、または要素で実装されてもよい。２つ以上の機能ブロックを単一装置に統合してもよく、任意の単一ブロックで実行されるものとして説明する機能をいくつかの装置にわたって実施してもよい。例えば、受信部５０２、復調部７０６、並びに他の空間処理およびデマッピング機能７０４の機能は、状況によっては単一の受信部装置によって実行されてもよい。
【００５０】
受信部７０２は、基地局１０２（２００）からデータ階層化信号１０４を受信する。リソースデマッピングおよび空間処理部３０４は、ＭＩＭＯおよび空間パラメータを実行して、上述のように信号をデマッピングし、空間的に処理する。制御メッセージ１０６を含む制御チャネル情報は、制御チャネル復号部７０６によって復号され、信号のデータチャネル部分は逆拡散され、次いで復調部７０８によって復調される。ＤＬ制御情報（ＤＣＩ）を伝達する同一のＰＤＣＣＨは、スケジューリング割り当てを取得するために、両方の装置によって復号される。
【００５１】
状況によっては、ＣＤＭコード（Ｃ２）は、ＭＴＣ装置の識別（ＩＤ）を３２または６４のＣＤＭコードのうちの１つにハッシュすることに基づいて構成される。例えば、ＭＴＣ  ＩＤが基地局１０２に知られている場合、ＭＴＣ装置はそのＩＤを適用して、どのＣＤＭコードがＭＴＣデータに使用されているかを判定することができる。したがって、代替としてＣＣＨ復号部７０６が制御情報からＣＤＭコード（Ｃ２）を決定する代わりに、ＣＤＭコードをＭＴＣ  ＩＤに基づいて選択することができる。
【００５２】
制御チャネル復号部７０６は、変調次数に関する制御メッセージ１０６の内容と、ＵＥ装置７００に関連付けられて割り当てられているデータ階層化情報フィールドに位置するデータ階層化パラメータと、を決定する。データ階層化制御情報フィールドは、着信信号を逆拡散するためのＣＤＭコード（Ｃ２）を含む。復調部７０８は、符号化ビット５１２を含む符号化ビット配列７１０を生成するために、制御チャネル復号部によって決定された変調次数パラメータを適用する。制御チャネル復号部７０６によって取得された制御情報に従って、復号部７１２は、ＵＥ装置７００を対象とするＭＴＣデータを回復する。
【００５３】
図８は、階層化データ伝送１０を互いに近接している複数の装置に送信する方法の一例のフローチャートである。図８に示すステップは、示されているものとは異なる順序で実行することができ、いくつかのステップは単一のステップに組み合わせることができる。追加のステップが実行されてもよく、いくつかのステップが省略されてもよい。例えば、この方法は基地局１０２によって実行される。
【００５４】
ステップ８０２で基地局は、２つの装置は互いに接近している場合に、階層化データ信号１０４を第１装置および第２装置に送信する。上述したように、装置は、空間ベクトルおよびＭＩＭＯパラメータのような位置に依存する制御情報が少なくとも類似していてもよく、同一であってもよいほど、互いに十分に接近している。例えば、階層化データ信号は、第１装置を対象とする第１装置データおよび第２装置を対象とする第２装置データを含む。
【００５５】
ステップ８０４では、制御メッセージが第１装置および第２装置に送信される。制御メッセージは、両方の装置に共通の地理的位置依存制御情報を含む。制御メッセージはまた、各装置に固有であり、制御メッセージのデータ階層化情報フィールドに含まれる装置固有のデータ階層化情報を含む。制御メッセージおよび階層化データ信号を受信した各装置は、共通制御情報および装置固有データ階層化制御情報を適用して、その装置を対象とするデータを回復する。
【００５６】
図９は、ＵＥ装置において階層化データ伝送１０を受信する方法のフローチャートである。図９のステップは、示されているものとは異なる順序で実行することができ、いくつかのステップは単一のステップに組み合わせることができる。追加のステップが実行されてもよく、いくつかのステップが省略されてもよい。例えば、この方法は第１ＵＥ装置１０８または第２ＵＥ装置１１０などのＵＥ装置によって実行される。
【００５７】
ステップ９０２では、制御メッセージが基地局から受信され、制御メッセージは、第１装置によるデータ信号の受信および第２装置による受信に適用される地理的位置依存制御情報を含む。制御メッセージは、各装置に固有の装置固有データ階層化情報を含むフィールドを含む。
【００５８】
ステップ９０４では、データ階層化信号が基地局から受信される。データ階層化信号は、第１データ層の第１装置データおよび第２データ層の第２装置データを含む。
【００５９】
ステップ９０６では、データ階層化信号が、地理的位置依存制御情報に従って復調および復号される。ＵＥ装置は、共通の位置依存制御情報を適用してデータ階層化信号を復調および復号する。
【００６０】
ステップ９０８では、データ階層化信号は装置固有のデータ階層化制御情報に従って復号される。装置は、装置依存のデータ階層化制御情報を適用して装置を対象とするデータを回復する。
【００６１】
したがって、対象ユーザ機器（ＵＥ）装置は、データ階層化信号および制御メッセージを含む階層化データ伝送を受信する。データ階層化信号は、対象ＵＥ装置を対象とする対象データおよび他のＵＥ装置を対象とする他のデータを含む。制御メッセージは、対象ＵＥ装置によるデータ信号の受信に適用され、他のＵＥ装置に適用される地理的位置依存制御情報を含む。データ層制御情報は、対象ＵＥ装置を対象とする少なくとも１つのデータ階層化制御情報フィールドおよび他のＵＥ装置を対象とする少なくとも１つのデータ階層化制御情報フィールドを含む、装置固有のデータ階層化制御情報フィールドに配置される。対象ＵＥ装置は、地理的位置依存制御情報に従ってデータ階層化信号を復調し、対象ＵＥ装置を対象とする少なくとも１つのデータ階層化制御情報フィールドの装置固有データ階層化制御情報に従って、データ階層化信号から対象データを回復する。
【００６２】
したがって、上述した様々な技術は、共通の位置に配置された複数の装置にデータおよび制御情報を伝達するための効率的なメカニズムを提供する。制御情報は、装置が互いに近接していることにより複数の装置に適用される共通制御情報を含む。技術によっては、共通のデータ時間・周波数通信リソースは、データを階層化することによって装置間で共有される。さらに、各装置に異なるデータを伝達する伝送の場合に、全装置よりも少ない装置からのフィードバックを使用して、複数の装置によって受信される伝送の伝送、空間、変調、符号化率、およびタイミングパラメータを設定することができる。例えば、すべての併置された装置のタイミング調整は、グループ内の１つの装置からのフィードバックからのみ決定できる。上述の技術の効率および性能を向上させる機会についての他の考慮事項は、モビリティメカニズムを含み、併置された装置が同じ対象セルに一緒にすべてハンドオーバする伝送を受信する。ＩＤＬＥモードのとき、併置された装置はキャンプの同じセルを選択することを要求されるので、接続確立およびページは同時にすべての併置された装置に適用可能である。
【００６３】
明らかに、本発明の他の実施形態および改変はこれらの教示を考慮して当業者には容易に思い浮かぶであろう。上記の説明は例示的なものであり、限定的なものではない。本願は、上記の明細書および添付の図面と併せて見たときに、すべてのそのような実施形態および修正形態を含む添付の特許請求の範囲によってのみ限定されるべきである。したがって、本願の範囲は、上記の説明を参照して決定されるべきではなく、添付の特許請求の範囲をその均等物の全範囲を参照して決定されるべきである。
【図１Ａ】
2019537323.tif 000003
【図１Ｂ】
2019537323.tif 000004
【図２】
2019537323.tif 000005
【図３】
2019537323.tif 000006
【図４】
2019537323.tif 000007
【図５】
2019537323.tif 000008
【図６Ａ】
2019537323.tif 000009
【図６Ｂ】
2019537323.tif 000010
【図７】
2019537323.tif 000011
【図８】
2019537323.tif 000012
【図９】
2019537323.tif 000013
【国際調査報告】
2019537323.tif 000014
2019537323.tif 000015